(57)【要約】【課題】潜熱回収型の補助熱源機を備えた温水装置において、容易な構造で且つ低コストで加圧ポンプに起因する振動音を抑制可能な構造を備えたもの、等を提供すること。【解決手段】温水装置１は、潜熱回収用熱交換器３ｄと、この潜熱回収用熱交換器３ｄに接続された補助熱源機往き通路部１２ｂ（供給水路）と、この補助熱源機往き通路部１２ｂに設置され且つ潜熱回収用熱交換器３ｄへ湯水を送る為の加圧ポンプ２０とを備え、補助熱源機往き通路部１２ｂは、加圧ポンプ２０から潜熱回収用熱交換器３ｄに至る配管部分２１を有し、配管部分２１の一部が、その他の配管部分２１の内径よりも内径が拡大された拡管部２２で構成され、配管部分２１における加圧ポンプ２０と拡管部２２との間にオリフィス部２６が設けられている。【選択図】図３
2014190569.tif 000002
【特許請求の範囲】
【請求項１】
潜熱回収型の熱交換器と、この熱交換器に接続された供給水路と、この供給水路に設置され且つ前記熱交換器へ湯水を送る為の加圧ポンプとを備えた温水装置において、
前記供給水路は、前記加圧ポンプから前記熱交換器に至る配管部分を有し、
前記配管部分の一部が、その他の配管部分の内径よりも内径が拡大された拡管部で構成されたことを特徴とする温水装置。
【請求項２】
前記配管部分における前記加圧ポンプと前記拡管部との間にオリフィス部が設けられたことを特徴とする請求項１に記載の温水装置。
【請求項３】
前記拡管部に少なくとも１つの屈曲部が設けられたことを特徴とする請求項１又は２に記載の温水装置。
【発明の詳細な説明】
【技術分野】
【０００１】
本発明は温水装置に関し、特に熱源機へ加圧ポンプを駆動して湯水を送る際に発生する振動音を低減可能な構造を備えたものに関する。
【背景技術】
【０００２】
従来から、貯湯、給湯、床暖房パネル等の温水暖房端末への温水の供給、風呂への給湯及び追い焚き等の機能を備えた温水装置が広く一般に普及している。この温水装置は、外部熱源機により加熱された湯水を貯留する貯湯タンク、貯湯タンクに低温の上水を供給する給水通路、貯湯タンクに貯留された湯水を給湯栓等の所望の給湯先に供給する給湯通路、暖房水を床暖房パネル等の温水暖房機器に供給する温水暖房回路、風呂への給湯及び追い焚きを行う風呂給湯追焚回路、温水暖房回路や風呂給湯追焚回路を加熱する熱利用循環回路等を備えている。
【０００３】
上記の温水装置において、各種の通路及び各種の回路を構成する配管内に気泡を含んだ湯水が流れる場合があり、この場合、通水音により騒音が発生するという問題がある。このような問題を解決するため、以下に示すような騒音を抑制した構造を備えたものが種々の文献に開示されている。
【０００４】
例えば、特許文献１には、温水暖房回路に温水暖房機器をバイパスするバイパス配管が設置された構造が開示され、このバイパス配管に発生する通水音を抑制するため、バイパス配管の途中部に、その両端部に設けられた流入部の内径よりも大きな内径を有する拡大部を設けた構造が開示されている。この構造によれば、拡大部により湯水の流速が低減し、湯水に含まれる気泡同士がくっついて成長し、気泡同士の衝突頻度を低減することで通水音を低減することができる。
【０００５】
ところで、上記の温水装置においては、貯湯タンク内の湯水の温度が低い場合に湯水を再加熱する補助熱源機を備えたものも実用化されている。この温水装置に組み込まれた補助熱源機は、燃焼ガスの顕熱を利用する熱交換器を備えたものだけでなく、顕熱回収後の燃焼排気ガスの潜熱を利用して熱効率の向上を図った潜熱回収型の熱交換器を備えたものも適用される。
【０００６】
上記の補助熱源機を稼動する場合には、貯湯タンクに過度の入水圧が作用しないように従来から給水通路に減圧装置が設置されている構造上、補助熱源機へ供給される湯水の流量が減圧装置によって少量になる虞がある。このため、補助熱源機に接続された供給水路に加圧ポンプを設置して、この加圧ポンプによって湯水を加圧して補助熱源機へ送る必要が生じる。
【先行技術文献】
【特許文献】
【０００７】
【特許文献１】特開平８−２８５２９６号公報
【発明の概要】
【発明が解決しようとする課題】
【０００８】
しかし、補助熱源機へ湯水を加圧ポンプによって圧送すると、加圧ポンプの振動が供給水路を構成する配管や配管内の湯水を伝播して、補助熱源機の熱交換器へ直接伝播されてしまう。
【０００９】
このため、補助熱源機が潜熱回収型の熱交換器を備えた構造である場合、潜熱回収型の熱交換器は、一般的に、硬い材質であるステンレスで形成されているため、加圧ポンプの振動に同期して潜熱回収型の熱交換器が振動してしまい、この振動が排気口から外部に騒音として漏れるという問題が生じる。
【００１０】
本発明の目的は、潜熱回収型の補助熱源機を備えた温水装置において、容易な構造で且つ低コストで加圧ポンプに起因する振動音を抑制可能な構造を備えたもの、等を提供することである。
【課題を解決するための手段】
【００１１】
請求項１の温水装置は、潜熱回収型の熱交換器と、この熱交換器に接続された供給水路と、この供給水路に設置され且つ前記熱交換器へ湯水を送る為の加圧ポンプとを備えた温水装置において、前記供給水路は、前記加圧ポンプから前記熱交換器に至る配管部分を有し、前記配管部分の一部が、その他の配管部分の内径よりも内径が拡大された拡管部で構成されたことを特徴としている。
【００１２】
請求項２の温水装置は、請求項１の発明において、前記配管部分における前記加圧ポンプと前記拡管部との間にオリフィス部が設けられたことを特徴としている。
【００１３】
請求項３の温水装置は、請求項１又は２の発明において、前記拡管部に少なくとも１つの屈曲部が設けられたことを特徴としている。
【発明の効果】
【００１４】
請求項１の発明によれば、供給水路は、加圧ポンプから熱交換器に至る配管部分を有し、配管部分の一部が、その他の配管部分の内径よりも内径が拡大された拡管部で構成されたので、内径が拡大された拡管部によって、加圧ポンプから吐出された湯水の流速が低下し、湯水の水圧を低減させることができる。
【００１５】
従って、拡管部によって、加圧ポンプから吐出された湯水の流速を低下させ、水圧を低減させることで、加圧ポンプから湯水に伝播した振動の振動エネルギを減衰させることができ、加圧ポンプから湯水に伝播した振動が潜熱回収型の熱交換器を介して外部に漏れるのを極力防止することができ、故に、加圧ポンプに起因する振動音の抑制を容易な構造で且つ低コストで実現できる。
【００１６】
請求項２の発明によれば、配管部分における加圧ポンプと拡管部との間にオリフィス部が設けられたので、加圧ポンプから吐出された湯水の振動をオリフィス部によって減衰させることができ、故に、振動エネルギの減衰効果が一層向上し、加圧ポンプに起因する振動音の抑制効果が向上する。
【００１７】
請求項３の発明によれば、拡管部に少なくとも１つの屈曲部が設けられたので、屈曲部による湯水の流れ方向の変更によって振動エネルギの減衰効果がより向上し、加圧ポンプに起因する振動音の抑制効果がより一層向上する。
【図面の簡単な説明】
【００１８】
【図１】温水装置の概略構成図である。
【図２】補助熱源機と加圧ポンプと配管部分の斜視図である。
【図３】図２の配管部分から断熱材を取り外した状態の斜視図である。
【図４】補助熱源機と加圧ポンプと断熱材を取り外した状態の配管部分の側面図である。
【図５】継手部材の断面図である。
【図６】オリフィス管部材の断面図である。
【発明を実施するための形態】
【００１９】
以下、本発明を実施するための形態について実施例に基づいて説明する。
【実施例１】
【００２０】
次に、本発明の温水装置１の全体構成について説明する。
図１に示すように、温水装置１は、貯湯、給湯、床暖房パネル等の温水暖房端末への温水の供給、風呂への給湯及び追い焚き等の機能を有するものであり、貯湯タンク２、補助熱源機３、第１，第２熱交換器４，５、給水通路６、給湯通路７、加熱循環回路８、風呂給湯追焚回路９、温水暖房回路１１、熱利用循環回路１２、制御ユニット１３等を備え、これら大部分は外装ケース１４内に一体的に収納されて構成されている。
【００２１】
尚、この温水装置１は、外部熱源機として熱交換器による貯湯タンク２内の湯水を加熱可能な燃料電池発電装置の排熱回収熱交換器と、この燃料電池発電装置と温水装置１との間に湯水を循環させる為の加熱循環回路８等と組み合わせることで燃料電池コージェネレーションシステムが構成されるが、温水装置１以外の構成の詳細な説明は省略する。
【００２２】
次に、貯湯タンク２について説明する。
図１に示すように、貯湯タンク２は、外部熱源機で加熱された高温の温水（例えば、８０〜９０℃）を貯留可能な密閉タンクで構成され、貯留された湯水の放熱を防ぐ為にタンク周囲は断熱材で覆われている。
【００２３】
次に、補助熱源機３について説明する。
図１に示すように、補助熱源機３は、熱利用循環回路１２に設けられ、燃料ガスを燃焼して湯水の加熱を行う公知のガス給湯器で構成されている。補助熱源機３は、燃焼用空気を供給する為の送風ファン３ａと、燃料ガスを燃焼させるバーナーユニット３ｂと、燃焼ガスの主として顕熱を回収する顕熱回収用熱交換器３ｃと、顕熱回収後の燃焼排気ガスの主として潜熱を回収する潜熱回収用熱交換器３ｄ等を備えている。
【００２４】
補助熱源機３は、貯湯タンク２内の湯水温度が設定温度以下の場合や熱利用循環回路１２を循環する湯水の温度が不足する等の特別な場合に限り、主制御ユニット１３から指令が送信されて燃焼作動され、熱利用循環回路１２を流れる湯水を再加熱するものである。補助熱源機３に供給された湯水は、潜熱回収用熱交換器３ｄにおいて燃焼排気ガスの潜熱により加熱された後、顕熱回収用熱交換器３ｃに供給され、その顕熱回収用熱交換器３ｃにより加熱された後、熱利用循環回路１２に供給される。
【００２５】
次に、第１，第２熱交換器４，５について説明する。
第１熱交換器４は、風呂給湯追焚回路９を流れる風呂のお湯を加熱するものであり、熱利用循環回路１２の一部となる熱交換通路部４ａ、風呂給湯追焚回路９の一部となる内部通路部４ｂを有している。第１熱交換器４において、熱利用循環回路１２を流れる高温の湯水と風呂給湯追焚回路９を流れる風呂のお湯との間で熱交換され、風呂のお湯は加熱され、湯水は冷却される。
【００２６】
第２熱交換器５は、温水暖房回路１１を流れる暖房水を加熱するものであり、熱利用循環回路１２の一部となる熱交換通路部５ａ、温水暖房回路１１の一部となる熱交換通路部５ｂを有している。第２熱交換器５において、熱利用循環回路１２を流れる高温の湯水と温水暖房回路１１を流れる暖房水との間で熱交換され、暖房水が加熱され、湯水は冷却される。
【００２７】
次に、加熱循環回路８について説明する。
図１に示すように、加熱循環回路８は、貯湯タンク２と外部熱源機との間に湯水を循環させる閉回路であり、往き側循環通路部８ａ、戻り側循環通路部８ｂを有し、貯湯タンク２の下部に上流端が接続され、外部熱源機を経由して、貯湯タンク２の上部に下流端が接続されている。往き側循環通路部８ａから戻り側循環通路部８ｂに接続するバイパス通路部８ｃが分岐され、この分岐部には、貯湯切換弁８ｄが設置されている。
【００２８】
通常の加熱循環運転では、図１に示すように、貯湯切換弁８ｄはバイパス通路部８ｃを遮断する側に切り換えられ、貯湯タンク２から循環ポンプ（図示略）を介して湯水が、往き側循環通路部８ａを通り、外部熱源機に送られ加熱され、加熱された湯水は、戻り側循環通路部８ｂを通って貯湯タンク２に戻される。
【００２９】
次に、給水通路６と給湯通路７について説明する。
給水通路６は、上水源から低温の上水を貯湯タンク２に供給するものであり、上流給水通路部６ａ、中間給水通路部６ｂ、下流給水通路部６ｃを有し、上水源に上流端が接続され、貯湯タンク２の下部に下流端が接続されている。上流給水通路部６ａには、減圧弁６ｄ（減圧装置）が設置され、中間給水通路部６ｂには、逆止弁６ｅが設置されている。
【００３０】
給水通路６において、中間給水通路部６ｂと下流給水通路部６ｃとの間から熱利用循環回路１２に接続するバイパス通路部１６が分岐され、この分岐部には、蓄熱切換弁６ｇが設置されている。このバイパス通路部１６により、低温の上水を熱利用循環回路１２に供給することができ、また逆に、熱利用循環回路１２から湯水を貯湯タンク２に戻すことができる。
【００３１】
給湯通路７は、貯湯タンク２内に貯湯された湯水を風呂等の所望の給湯先に供給するものであり、高温の湯水が流れる上流給湯通路部７ａ、混合湯水が流れる下流給湯通路部７ｂを有し、貯湯タンク２の上部に上流端が接続され、給湯栓に下流端が接続されている。上流給湯通路部７ａと下流給湯通路部７ｂとの間には、混合弁７ｃが設置され、この混合弁７ｃに上流給水通路部６ａから分岐したバイパス通路部１７が接続されている。バイパス通路部１７には、逆止弁１７ａが設置されている。
【００３２】
バイパス通路部１７から混合弁７ｃを介さずに下流給湯通路部７ｂへ直接接続するバイパス通路部１８が分岐され、このバイパス通路部１８には、高温回避電磁弁１８ａが設置されている。このバイパス通路部１８によって、下流給湯通路部７ｂに上水源から低温の上水を直接供給することができる。下流給湯通路部７ｂの途中部には、出湯水比例弁１９ａが設置され、この出湯水比例弁１９ａの下流側から風呂給湯追焚回路９へ接続する風呂出湯通路１９が分岐されている。風呂出湯通路１９には、注湯電磁弁１９ｂ、逆止弁１９ｃ等が順に一体的に設置されている。
【００３３】
次に、風呂給湯追焚回路９と温水暖房回路１１について説明する。
図１に示すように、風呂給湯追焚回路９は、風呂のお湯を追い焚きする回路であり、風呂戻り通路部９ａ、風呂往き通路部９ｂを有している。風呂戻り通路部９ａと風呂往き通路部９ｂとの間には、第１熱交換器４の内部通路部４ｂが接続され、風呂戻り通路部９ａには、風呂循環ポンプ９ｃが設置されている。
【００３４】
温水暖房回路１１は、床暖房パネルや浴室乾燥機等の温水暖房端末に供給される暖房水を循環させる回路であり、暖房戻り通路部１１ａ、暖房高温往き通路部１１ｂ、暖房低温往き通路部１１ｃを有している。暖房戻り通路部１１ａには、膨張タンク１１ｄと暖房循環ポンプ１１ｅとが設置されている。暖房高温往き通路部１１ｂには、第２熱交換器５の熱交換通路部５ｂが介装されている。
【００３５】
次に、熱利用循環回路１２について説明する。
熱利用循環回路１２は、湯水を循環させて温水暖房回路１１や風呂給湯追焚回路９との間で熱交換を行う閉回路であり、湯水往き通路部１２ａ、補助熱源機往き通路部１２ｂ（供給水路に相当する）、熱交換器往き通路部１２ｃ、湯水戻り通路部１２ｄを有している。
【００３６】
湯水往き通路部１２ａの上流端が貯湯タンク２の上部に接続され、湯水往き通路部１２ａの下流端と補助熱源機往き通路部１２ｂの上流端と湯水戻り通路部１２ｄの下流端との合流部には、三方弁１２ｅが設置されている。湯水往き通路部１２ａには、逆止弁１２ｆが設置され、補助熱源機往き通路部１２ｂには、潜熱回収用熱交換器３ｄへ湯水を送る為の加圧ポンプ２０と流量センサ１２ｇが設置されている。
【００３７】
補助熱源機往き通路部１２ｂと熱交換器往き通路部１２ｃとの間に、補助熱源機３の潜熱回収用熱交換器３ｄと顕熱回収用熱交換器３ｃとが接続されている。熱交換器往き通路部１２ｃの下流側部分の１対の分岐通路と湯水戻り通路部１２ｄの上流側部分の１対の分岐通路との間に、第１，第２熱交換器４，５の熱交換通路部４ａ，５ａが夫々接続されている。湯水戻り通路部１２ｄの１対の分岐通路に風呂熱交出口電磁弁１２ｈと暖房熱交出口電磁弁１２ｉが夫々設置されている。
【００３８】
熱交換器往き通路部１２ｃから給湯通路７に接続する出湯通路部１２ｊが分岐され、出湯通路部１２ｊには、タンク水比例弁１２ｋが設置されている。この出湯通路部１２ｊによって、貯湯タンク２内で温度が低下した湯水や、給水通路６からバイパス通路部１６を介して導入された低温の上水を補助熱源機３で加熱し、高温の湯水として給湯通路７に供給することができる。
【００３９】
次に、本発明に係る補助熱源機往き通路部１２ｂの具体的構造について説明する。
図２〜図４に示すように、補助熱源機往き通路部１２ｂは、加圧ポンプ２０から潜熱回収用熱交換器３ｄに至る配管部分２１を有している。この配管部分２１の一部は、その他の配管部分２１の内径よりも内径が拡大された拡管部２２で構成されている。
【００４０】
つまり、補助熱源機往き通路部１２ｂの配管部分２１は、加圧ポンプ２０の接続部２０ａに接続される上流側小径管部２１ａ、この上流側小径管部２１ａの下流端部に接続される拡管部２２、この拡管部２２の下流端部に接続され且つ潜熱回収用熱交換器３ｄに接続される下流側小径管部２１ｂから構成されている。
【００４１】
拡管部２２を構成する配管の内径Ｒは、上流側及び下流側小径管部２１ｂを構成する配管の内径ｒよりも大径に構成されている。例えば、拡管部２２を、内径２０ｍｍ（外径２２．０ｍｍ）の配管で構成し、上流側及び下流側の小径管部２１ａ，２１ｂを、内径１１．５ｍｍ（外径１２．７ｍｍ）の配管で構成している。
【００４２】
図２〜図４に示すように、拡管部２２には、少なくとも１つの屈曲部２２ａが設けられている。つまり、拡管部２２を構成する配管の途中部分は屈曲され、この屈曲部２２ａの角度は、直角となるように設定されているが、特にこの角度に限定する必要はない。
【００４３】
上流側及び下流側の小径管部２１ａ，２１ｂ及び拡管部２２を構成する配管の周囲は、流れる湯水の放熱を防ぐ為に断熱材２３で覆われている（図２参照）。上流側小径管部２１ａの途中部には、温水装置１の外部に湯水を排出可能な水抜き栓１２ｌが設けられている。下流側小径管部２１ｂの途中部には、流量センサ１２ｇが設置されている。
【００４４】
次に、拡管部２２と上流側及び下流側の小径管部２１ａ，２１ｂとを接続する１対の継手部材２４について説明する。
図５に示すように、拡管部２２の両端部は、上流側小径管部２１ａの下流端部及び下流側小径管部２１ｂの上流端部と継手部材２４を介して夫々接続されている。これら継手部材２４は、金属製（例えば、真鍮製）の略円筒形状に夫々形成され、外径の異なる配管同士を接続可能に構成されている。１対の継手部材２４は、夫々同じ構造のものであるので、以下では、上流側の継手部材２４について説明する。
【００４５】
継手部材２４の内部には、上流側から下流側に向けて順に、小径管部２１ａ，２１ｂと略同じ外径を有する小径装着孔２４ａ、この小径装着孔２４ａの端部に連通し且つ小径管部２１ａ，２１ｂと略同じ内径を有する円筒孔２４ｂ、この円筒孔２４ｂの端部に連通し且つ下流側ほど大径化するテーパ孔２４ｃ、このテーパ孔２４ｃの端部に連通し且つ拡管部２２と略同じ外径を有する大径装着孔２４ｄとが形成されている。
【００４６】
この継手部材２４を介して拡管部２２と上流側小径管部２１ａの下流端部とを接続する場合、継手部材２４の小径装着孔２４ａに上流側小径管部２１ａの下流端部を嵌入し、大径装着孔２４ｄに拡管部２２の上流端部を嵌入し、継手部材２４と小径管部２１ａとの隙間及び継手部材２４と拡管部２２との隙間をロウ付けにより夫々接合することで、継手部材２４を介して小径管部２１ａ及び拡管部２２とを接続する。拡管部２２と下流側小径管部２１ｂの上流端部との接続も同様である。
【００４７】
次に、オリフィス管部材２５について説明する。
図２〜図４に示すように、補助熱源機往き通路部１２ｂの配管部分２１における加圧ポンプ２０と拡管部２２との間に、加圧ポンプ２０から吐出された湯水の水圧を上昇させる為のオリフィス部２６を備えたオリフィス管部材２５が設けられている。
【００４８】
図６に示すように、オリフィス管部材２５は、金属製（例えば、真鍮製）の略円筒形状に形成され、加圧ポンプ２０の吐出口と一体形成された接続部２０ａと上流側小径管部２１ａの上流端部とを接続可能に構成されている。
【００４９】
オリフィス管部材２５は、加圧ポンプ２０の接続部２０ａが外嵌される小径筒部２５ａ、この小径筒部２５ａの端部に形成された環状突部２５ｂ、この環状突部２５ｂの端部から下流側に向って延びる大径筒部２５ｃとから一体的に形成されている。小径筒部２５ａの外周部には環状溝２５ｄが形成され、この環状溝２５ｄに合成樹脂製のＯリング２７が装着されている。
【００５０】
オリフィス管部材２５の内周側には、上流側から下流側に向って、オリフィス部２６と、このオリフィス部２６の端部に連なり且つ上流側小径管部２１ａの上流端部が収納される収容孔２５ｅが形成されている。オリフィス部２６は、下流側に向って軸心側へ移行するように傾斜した環状テーパ孔２６ａ、この環状テーパ孔２６ａの端部に連なる円筒孔２６ｂ、この円筒孔２６ｂの端部に連なり且つ環状テーパ孔２６ａと逆方向に緩やかに傾斜した環状テーパ孔２６ｃにより形成されている。
【００５１】
このオリフィス管部材２５を介して加圧ポンプ２０と上流側小径管部２１ａの上流端部とを接続する場合、加圧ポンプ２０の接続部２０ａに対して、オリフィス管部材２５の小径筒部２５ａを環状突部２５ｂが接続部２０ａの先端鍔部２０ｂに当接するまで嵌入し、オリフィス管部材２５の収容孔２５ｅに上流側小径管部２１ａの上流端部を嵌入し、環状突部２５ｂと先端鍔部２０ｂを挟持するように固定部材２８（所謂、クイックファスナー）を装着し、オリフィス管部材２５と上流側小径管部２１ａとの隙間をロウ付けにより接合することで、オリフィス管部材２５を介して加圧ポンプ２０と上流側小径管部２１ａとを接続する。
【００５２】
次に、本発明に温水装置１の作用及び効果について説明する。
熱利用循環回路１２において、加圧ポンプ２０の駆動を介して、湯水が補助熱源機往き通路部１２ｂから補助熱源機３に送られ必要に応じて再加熱され、補助熱源機３を通った湯水は、熱交換器往き通路部１２ｃを通って第１，第２熱交換器４，５に送られ、この第１，第２熱交換器４，５で熱交換された湯水は、湯水戻り通路部１２ｄを通って補助熱源機往き通路部１２ｂに戻される循環流が形成される。
【００５３】
このとき、補助熱源機往き通路部１２ｂにおいては、加圧ポンプ２０が駆動されると、加圧ポンプ２０の接続部２０ａから吐出された湯水は、オリフィス部２６を通過する際に水圧が上昇されると共に加圧ポンプ２０に起因する振動エネルギが減衰され、上流側小径管部２１ａを経由して拡管部２２に流入する。拡管部２２に流入した湯水は、流速が低下して湯水の水圧が低減することで振動エネルギが減衰する。拡管部２２から送り出された湯水は、下流側小径管部２１ｂを経由して潜熱回収用熱交換器３ｄへ送り込まれる。
【００５４】
以上説明したように、補助熱源機往き通路部１２ｂ（供給水路）は、加圧ポンプ２０から潜熱回収用熱交換器３ｄに至る配管部分２１を有し、配管部分２１の一部が、その他の配管部分２１（小径管部２１ａ，２１ｂ）の内径よりも内径が拡大された拡管部２２で構成されたので、内径が拡大された拡管部２２によって、加圧ポンプ２０から吐出された湯水の流速が低下し、湯水の水圧を低減させることができる。
【００５５】
従って、拡管部２２によって、加圧ポンプ２０から吐出された湯水の流速を低下させ、水圧を低減させることで、加圧ポンプ２０から湯水に伝播した振動の振動エネルギを減衰させることができ、加圧ポンプ２０から湯水に伝播した振動が潜熱回収用熱交換器３ｄを介して外部に漏れるのを極力防止することができ、故に、加圧ポンプ２０に起因する振動音の抑制を容易な構造で且つ低コストで実現できる。
【００５６】
また、配管部分２１における加圧ポンプ２０と拡管部２２との間にオリフィス部２６が設けられたので、加圧ポンプ２０から吐出された湯水の振動をオリフィス部２６によって減衰させることができ、故に、振動エネルギの減衰効果が一層向上し、加圧ポンプ２０に起因する振動音の抑制効果が向上する。
【００５７】
さらに、拡管部２２に少なくとも１つの屈曲部２２ａが設けられたので、屈曲部２２ａによる湯水の流れ方向の変更によって振動エネルギの減衰効果がより向上し、加圧ポンプ２０に起因する振動音の抑制効果がより一層向上する。
【００５８】
次に、前記実施例を部分的に変更した形態について説明する。
［１］前記実施例において、外部熱源機として、燃料電池発電装置の排熱回収熱交換器について説明したが、これに限定する必要はなく、ヒートポンプ式加熱装置、ガスエンジン等を採用しても良いし、これら以外にも種々の公知なものを採用可能である。
【００５９】
［２］前記実施例において、拡管部２２には、１つの屈曲部２２ａが設けられた構造について説明したが、特に屈曲部２２ａは１つに限定する必要はなく、複数の屈曲部２２ａが設けられた構造であっても良い。
【００６０】
［３］その他、当業者であれば、本発明の趣旨を逸脱することなく、前記実施例に種々の変更を付加した形態で実施可能であり、本発明はそのような変更形態を包含するものである。
【符号の説明】
【００６１】
１      温水装置
３      補助熱源機
３ｄ    潜熱回収用熱交換器
１２    熱利用循環回路
１２ｂ  補助熱源機往き通路部
２０    加圧ポンプ
２１    配管部分
２２    拡管部
２２ａ  屈曲部
２６    オリフィス部
【図１】
2014190569.tif 000003
【図２】
2014190569.tif 000004
【図３】
2014190569.tif 000005
【図４】
2014190569.tif 000006
【図５】
2014190569.tif 000007
【図６】
2014190569.tif 000008